(57)【要約】【課題】本発明は、簡単な構造でチャンネルベースからボックスへ通線している電線を結束する作業がしやすいチャンネルベースの電線支持具を提供することを目的としている。【解決手段】本発明に係るチャンネルベースの電線支持具は、ボックス２とチャンネルベース１とを連結するための連結ボルト４に、電線結束バンドを固定可能な電線支持金具５を固定することを特徴とし、広くスペースの取れるチャンネルベース側で電線を結束する。【選択図】        図１
2004208360.tif 000002
【特許請求の範囲】
【請求項１】
各種電気機器を収納したボックスを支持するために、該ボックスに連結されるチャネルベースの電線支持具において、前記ボックスとチャンネルベースとを連結するための連結ボルトに、電線結束バンドを固定可能な電線支持金具を固定することを特徴とするチャンネルベース。
【請求項２】
前記チャンネルベースの電線支持具において、前記連結ボルトに固定される固定部は、Ｕ字形状の切り欠きを設け、該切り欠きの範囲において任意の位置で固定可能であることを特徴とするチャンネルベース。
【発明の詳細な説明】
【０００１】
【発明の属する技術分野】
本発明は、各種電気機器を収納したボックスを支持するために、ボックスに連結されるチャネルベースの電線支持具に関する。
【０００２】
【従来の技術】
従来、チャンネルベース２１は、図４に示すように電線支持の機構を備えていなかった（例えば、特許文献１参照）。しかしながら、電線支持がなされないと、ボックスへ入出線される電線がばらついてしまい、配線作業が困難であったため、チャンネルベースの内側に支持機構を設けるようになった。その方法として、図５に示すように、チャンネルベース２２のボックス２３との連結部に設けられた入出線用の開口２４周縁の折曲部２５に電線結束バンドを固定可能とする取り付け穴２６を設けたり、図６に示すようにチャンネルベース２７の内側に入出線用の開口２８の近傍に電線支持用のバー２９を取り付けたりするものがあった。
【０００３】
【特許文献１】
特開２００１−１２８３１８号公報
【０００４】
【発明が解決しようとする課題】
しかしながら、上記従来技術におけるチャンネルベースの電線支持機構では、チャンネルベースの内側に設けられるため、スペースが狭く、電線の結束作業がしにくいという欠点があった。また、チャンネルベースとボックスとの連結部の入出線用開口の形によっては結束できない場合があった。
【０００５】
【課題を解決するための手段】
そこで本発明は、簡単な構造で作業性の良いチャンネルベースの電線支持具を提供することを目的とし、その構造は、ボックスとチャンネルベースとを連結するための連結ボルトに、電線結束バンドを固定可能な電線支持金具を固定することを特徴とする。
【０００６】
また、連結ボルトに固定される固定部は、Ｕ字形状の切り欠きを設け、切り欠きの範囲において任意の位置で固定可能であることを特徴とする。
【０００７】
【発明の実施の形態】
本発明に係るチャンネルベースの電線支持具は、チャンネルベースとボックスとを連結している連結ボルトに固定される。電線支持具は電線結束具が固定可能であるように電線結束バンド取り付け用穴を設けている。チャンネルベースとボックスとの間を通線する際、連結部分に設けられた開口近傍で電線結束具を用いて電線を束ねると共に、電線結束具を電線支持具の電線結束バンド取り付け用穴に取り付ける。狭いチャンネルベースではなく、広く作業スペースの取れるボックス側で電線を結束する。
【０００８】
また、電線支持具の連結ボルトに固定される固定部は、Ｕ字状の切り欠きを設け、連結ボルトを外さず緩め、切り欠き部分を連結ボルトに差し込んで連結ボルトを締め直す。また、切り欠きの範囲においては、電線支持具を任意の位置で連結ボルトに取り付けられ、ボックスに収められる機器やチャンネルベースとボックスとの間に設けられた開口の形状に合わせて取り付け位置を調節する。
【０００９】
【実施例】
本発明に係るチャンネルベースの電線支持具の実施例を図１〜図２の添付図面に基づいて説明する。
【００１０】
チャンネルベース１は、電気機器等を収納するボックス２を支持するために設置される。チャンネルベース１とボックス２の連結は、それぞれ互いに対向する位置には入出線用の開口３が設けられ、連結ボルト４で行われる。本発明は、ボックス２への入出線のためにチャンネルベース１に通線される電線を結束するための電線支持具５に関する。
【００１１】
電線支持具５には電線を結束する電線結束バンドが固定可能であるように、取り付け穴６が設けられている。電線支持具５は、チャンネルベース１とボックス２とを連結する連結ボルト４によって、ボックス２側の開口３近傍に取り付けられる。チャンネルベース１からボックス２へ通線されるとき、電線結束バンドによって束ねられ、電線支持具５に巻き付けたりして固定する。
【００１２】
本発明の請求項２に係るチャンネルベース１の電線支持具４は、連結ボルト４で固定される固定部７にＵ字状に切り欠き８を設け、チャンネルベース１とボックス２を連結するために締められている連結ボルト４を少し緩めてその隙間に切り欠き８を差し込み、連結ボルト４を締め直してチャンネルベース１とボックス２とを連結すると共に電線支持具５も固定する。
【００１３】
電線支持具５には電線を結束する電線結束バンドが固定可能であるように、取り付け穴６が設けられている。電線支持具５は、チャンネルベース１とボックス２とを連結する連結ボルト４によって、ボックス２側の開口３近傍に取り付けられる。チャンネルベース１からボックス２へ通線されるとき、電線結束バンドによって束ねられ、電線支持具５に巻き付けたりして固定する。
【００１４】
電線支持具５に設けられた切り欠き８によって、切り欠き８の範囲において任意の位置で固定可能であるため、ボックス２に収納される機器の大きさや、チャンネルベース１とボックス２との連結部分に設けられた入出線用の開口３の形状に合わせて電線支持具４を取り付けることができる。
【００１５】
本発明に係るチャンネルベースの電線支持具は上記形状に限定されるものではなく、図３に示すように、チャンネルベース９とボックス１０との連結部分に設けられた開口１１近傍にバー１２を設けても良い。バー１２に電線結束バンドで束ねた電線を固定する。このように本発明に係るチャンネルベースの電線支持具は本発明の趣旨を逸脱しない範囲において適宜変更可能である。
【００１６】
【発明の効果】
以上述べたように本発明は、ボックスとチャンネルベースとを連結するための連結ボルトに、電線結束具を固定可能な電線支持金具を固定するため、ボックスの内側で電線を結束、固定でき、狭いチャンネルベースでの配線に比べ作業性が大きく改善される。
【００１７】
また、連結ボルトに固定される固定部は、Ｕ字形状の切り欠きを設け、該切り欠きの範囲において任意の位置で固定可能であるため、ボックスに収納される機器の大きさや、チャンネルベースとボックスとの連結部分に設けられた入出線用の開口の形状に合わせて電線支持具を取り付けることができる。
【図面の簡単な説明】
【図１】本発明に係るチャンネルベースの電線支持具を示す斜視図である。
【図２】本発明に係る電線支持具のチャンネルベース取り付け状態を示す斜視図である。
【図３】本発明に係るチャンネルベースの電線支持具の変形実施例を示す斜視図である。
【図４】従来技術におけるチャンネルベースを示す斜視図である。
【図５】従来技術におけるチャンネルベースの電線支持方法を示す斜視図である。
【図６】従来技術におけるチャンネルベースの電線支持方法を示す斜視図である。
【符号の説明】
１      チャンネルベース
２      ボックス
３      開口
４      連結ボルト
５      電線支持具
６      取り付け穴
７      固定部
８      切り欠き
９      チャンネルベース
１０    ボックス
１１    開口
１２    バー
【図１】
2004208360.tif 000003
【図２】
2004208360.tif 000004
【図３】
2004208360.tif 000005
【図４】
2004208360.tif 000006
【図５】
2004208360.tif 000007
【図６】
2004208360.tif 000008